(57)【特許請求の範囲】
【請求項１】
ベース部材に大きい清掃面を有する第１清掃部を設けた第１清掃具と、
把手部材の一端に設けられており、第１清掃部と同一又は異なる特性で小さい清掃面を有する第２清掃部と、把手部材の他端に設けられており、第２清掃部と同一又は異なる特性で第２清掃部と同一又は小さい清掃面を有する第３清掃部とを有する第２清掃具と、
上記第１清掃具と第２清掃具の合体及び分離を自在とする結合手段とを有し、
上記結合手段は、ベース部材に設けた嵌合凹部又は凸部に、把手部材の一端側と他端側との間に架設された部材に設けた嵌合凸部又は凹部を嵌め合う嵌合構造を有すると共に、把手部材の一端側に把手部材をベース部材にロックするためのロック部と、把手部材の他端側に把手部材の一端をベース部材に係止するための係止部とを備え、
上記ロック部は、上記ベース部材の嵌合凹部又は凸部から上方に向けて垂設され、かつ、上記架設された部材に設けられた開口を貫通するとともに、当該開口の縁部の係止面に引っ掛けてロックするロック爪を有していることを特徴とする合体清掃具。
【請求項２】
上記第１清掃部、第２清掃部及び第３清掃部がブラシである請求項１記載の合体清掃具。
【請求項３】
上記第１清掃部、第２清掃部及び第３清掃部のうちの少なくとも１つがスポンジ、パッド又は布である請求項１記載の合体清掃具。
【請求項４】
上記第２清掃部及び第３清掃部の清掃面が、第１清掃部の清掃面に対し後退傾斜するか又は高い位置にある請求項１〜３のいずれかに記載の合体清掃具。
【請求項５】
上記第２清掃部及び第３清掃部の清掃面の先端部の断面形状がＶ字状である請求項１〜４のいずれかに記載の合体清掃具。
【発明の詳細な説明】
【０００１】
【発明の属する技術分野】
本発明は、複数の清掃具の合体及び分離を可能とした合体清掃具に関する。
【０００２】
【従来の技術】
浴室、台所、トイレ等を清掃するのに、一般には、広い平坦な部分を清掃するための大きい清掃面を有する清掃具と細部を清掃するための小さい清掃面を有する清掃具等各々別体の複数の清掃具を用意して、清掃場所に応じて複数の清掃具を使い分けていた。しかしながら、この方法では、複数の清掃具を別々に購入する必要があり、又複数の清掃具をすっきりと収納することができないという問題があった。そこで、これを改善するものとして、複数の清掃具を合体可能とした合体清掃具がいくつか提案されている。
【０００３】
例えば、登録実用新案公報第３００２５３６号には、図５に示すように、一側端中央部から直線状に開口部８２を開設し下側に外側ブラシ８３を植設したベース板体８１に、把手８７を有し下側に内側ブラシ８８を植設した補助板体８６を、係止条８４と係止溝８９を係合させて上記開口部８２内にスライド嵌め込みするブラシ体８０が開示されている（従来例１）。
【０００４】
また、特許公報第２８７９１３３号には、図６に示すように、ブラシ面の大きさと堅さが異なる第１ブラシ９１と第２ブラシ９２を組み合わせた組ブラシ９０が開示されている（従来例２）。
【０００５】
より詳しくは、第１ブラシ９１は、ブラシ部９５のブラシ毛が堅く、ブラシ面が大きく、ブラシ台９３上に略弓形をなす把手９４を備え、第２ブラシ９２は、ブラシ部９８のブラシ毛が柔らかく、ブラシ面が小さく、ブラシ台９６上に第１ブラシ９１の把手９４に沿う湾曲した柄９７を備えている。上記第１ブラシ９１と第２ブラシ９２を組み合わせた形態では、第１ブラシ９１のブラシ面に対し、第２ブラシ９２のブラシ面が後退する向きに傾斜した状態となる。
【０００６】
【発明が解決しようとする課題】
しかしながら、上記従来例１による場合には、外側ブラシ８３を植設したベース板体８１に、内側ブラシ８８を植設した補助板体８６を、係止条８４と係止溝８９を係合させて開口部８２内にスライド嵌め込みする構成をとるため、合体及び分離の操作があまり容易ではなく、洗浄剤をつけて使用している場合には手が滑って合体及び分離の操作がうまくできないという問題がある。
【０００７】
また、外側ブラシ８３と内側ブラシ８８は、サイズが異なるだけで同じ材料を用いているため、使用用途が限られるという問題がある。しかも、内側ブラシ８８は、細長い清掃面を有するため、狭い領域をスポット的に清掃するには適さないという問題がある。
【０００８】
更には、ベース板体８１の中央部に開口部８２を開設しているため、分離した状態ではベース板体８１の剛性が低下するため、分離した状態で外側ブラシ８３を使用するのに適さないという問題がある。加えて、内側ブラシ８８の分離で清掃面が外側ブラシ８３だけとなり、その分清掃面が減少するため、清掃能力が低下するという問題もある。
【０００９】
上記従来例２による場合には、小さいブラシ面を有する第２ブラシ９２は、ブラシ毛が柔らかく清掃面が細くないので、タイルの目地を清掃するのには適さず、しかも、湾曲した柄９７は、構造上の制約から充分な剛性を確保することが難しく、汚れのひどい部分に清掃面を強く押し付けて清掃するのに適さないという問題がある。
【００１０】
また、第２ブラシ９２の柄９７を、第１ブラシ９１の把手９４に沿う湾曲した形状にして、第１ブラシ９１と第２ブラシ９２を合体するときに把手９４に柄９７を重ね合わせて結合する構成をとるため、この結合部の構造が複雑で、構造上の制約を受けるという問題がある。更には、第１ブラシ９１と第２ブラシ９２は、ブラシ毛の硬さとサイズが異なるだけであるため、使用用途が限られるという問題がある。
【００１１】
本発明は、こうした従来技術の課題を解決するものであり、清掃面の大きさ及び特性のうちの少なくとも一方が異なる複数の清掃部を備え、複数の清掃具の合体及び分離を簡単な操作で片手でも自在に行うことができ、使用できる用途の範囲を拡大することができると共に、複数の清掃具を合体してすっきりと収納することができる簡素な構成で各清掃具が高剛性を有する合体清掃具を提供することを目的とする。
【００１２】
【課題を解決するための手段】
本発明の合体清掃具は、ベース部材に大きい清掃面を有する第１清掃部を設けた第１清掃具と、把手部材の一端に設けられており、第１清掃部と同一又は異なる特性で小さい清掃面を有する第２清掃部と、把手部材の他端に設けられており、第２清掃部と同一又は異なる特性で第２清掃部と同一又は小さい清掃面を有する第３清掃部とを有する第２清掃具と、上記第１清掃具と第２清掃具の合体及び分離を自在とする結合手段とを有し、上記結合手段は、ベース部材に設けた嵌合凹部又は凸部に、把手部材の一端側と他端側との間に架設された部材に設けた嵌合凸部又は凹部を嵌め合う嵌合構造を有すると共に、把手部材の一端側に把手部材をベース部材にロックするためのロック部と、把手部材の他端側に把手部材の一端をベース部材に係止するための係止部とを備え、上記ロック部は、上記ベース部材の嵌合凹部又は凸部から上方に向けて垂設され、かつ、上記架設された部材に設けられた開口を貫通するとともに、当該開口の縁部の係止面に引っ掛けてロックするロック爪を有していることを特徴とする。
【００１３】
上記構成によれば、第１清掃具の第１清掃部、第２清掃具の第２清掃部及び第３清掃部は、清掃面の大きさ及び特性のうちの少なくとも一方が異なっており、結合手段により第１清掃具と第２清掃具の合体及び分離を自在に行うことができるので、使用できる用途の範囲を拡大することが可能となると共に、複数の清掃具を合体してすっきりと収納することができる。
【００１４】
また、把手部材の他端側に設けた係止部により、把手部材の一端をベース部材に係止すると共に、ベース部材の嵌合凹部（又は嵌合凸部）に把手部材の嵌合凸部（又は嵌合凹部）を嵌め込んでいき、把手部材の一端側に設けたロック部により、把手部材をベース部材にロックすることが可能となる。逆に、合体した清掃具のロック部によるロックを外すことで、第１清掃具と第２清掃具を分離することが可能となる。
【００１５】
従って、ロック部、係止部及び嵌合構造により第１清掃具と第２清掃具の強固な結合が可能となると共に、第１清掃具と第２清掃具の合体及び分離を片手による簡単な操作で自在に行うことが可能となる。従って、例えば、合体清掃具に洗浄剤をつけて使用する場合にも手を滑らせることなく確実に操作することが可能となる。
【００１６】
上記した各合体清掃具において、第１清掃部、第２清掃部及び第３清掃部がブラシである構成とすることができる。
【００１７】
この構成によれば、ブラシからなる第１清掃具の第１清掃部、第２清掃具の第２清掃部及び第３清掃部を、用途に応じて清掃面の大きさ並びにブラシの植毛の長さ、太さ、硬さ、材質、形状、密度等の特性を変えることで、使用できる用途の範囲を拡大することが可能となる。
【００１８】
また、上記第１清掃部、第２清掃部及び第３清掃部のうちの少なくとも１つがスポンジ、パッド又は布である構成とすることができる。
【００１９】
この構成によれば、樹脂製の浴槽や壁面、木製家具等の傷が付きやすい場所に対し、スポンジ、パッド又は布からなる清掃部を用いることができ、使用できる用途の範囲を更に拡大することが可能となる。
【００２０】
上記した各合体清掃具において、上記第２清掃部及び第３清掃部の清掃面が、第１清掃部の清掃面に対し後退傾斜するか又は高い位置にある構成とすることができる。
【００２１】
この構成によれば、把手部材を握って第１清掃部の大きい清掃面を使って、広い平坦部分を清掃することができ、その際、第２清掃部及び第３清掃部の各清掃面が第１清掃部の清掃面に対し後退傾斜するか又は高い位置にあるので、清掃の支障になることがない。尚、狭い場所や隅部の細部を少しだけ清掃したい場合には、合体したままで全体を前後に少し傾けた姿勢にして第２清掃部の清掃面や第３清掃部の清掃面を使って清掃することもできる。
【００２２】
上記した各合体清掃具において、上記第２清掃部及び第３清掃部の清掃面の先端部の断面形状がＶ字状である構成とすることができる。
【００２３】
この構成によれば、清掃面のＶ字状の先端部をタイルの目地や隅部に合わせて清掃することができるので、汚れのひどい細部を集中的に清掃したりするのに適している。
【００２４】
【発明の実施の形態】
以下に、本発明の実施の形態を図面に基づいて具体的に説明する。
【００２５】
図１に、本発明の合体清掃具１の構成例を示す。ここで、（ａ）は第１清掃具１０と第２清掃具２０の合体した状態を、（ｂ）は分離した第２清掃具２０を、（ｃ）は分離した第１清掃具１０を表す。更に、図３に第１清掃具１０の構成の詳細を、図４に第２清掃具２０の構成の詳細を表す。
【００２６】
この合体清掃具１は、ベース部材１１に大きい清掃面Ｓ１を有する第１清掃部１２を設けた第１清掃具１０と、把手部材２１の一端２１ａに設けられており、第１清掃部１２と同一又は異なる特性で小さい清掃面Ｓ２を有する第２清掃部２２と、把手部材２１の他端２１ｂに設けられており、第２清掃部２２と同一又は異なる特性で第２清掃部２２と同一又は小さい清掃面Ｓ３を有する第３清掃部２３とを有する第２清掃具２０と、上記第１清掃具１０と第２清掃具２０の合体及び分離を自在とする結合手段３０とを有する。
【００２７】
結合手段３０は、例えば、ベース部材１１上に設けた幅ｗ１の嵌合溝１１ｅ（嵌合凹部）に、把手部材２１の下部に設けた幅ｗ２（ｗ１≧ｗ２）の嵌合凸部２１ｃを嵌め合う嵌合構造とし、把手部材２１の把手部材の一端２１ａ側に把手部材２１をベース部材１１にロックするためのロック部３１を設けると共に、他端２１ｂ側に把手部材２１の一端をベース部材１１に係止するための係止部３２とを設ける構成とすることができる。
【００２８】
より詳しくは、ロック部３１は、図２に示すように、第１清掃具１０のベース部材１１の中央リブ１１ａの一端側の上面に垂設したロック爪１１ｂを、第２清掃具２０の嵌合凸部２１ｃの一端側を上下に貫通する開口２１ｄを通してその上面の開口縁部の係止面２１ｆに引っ掛けてロックする構成とし、係止部３２は、第１清掃具１０のベース部材１１の中央リブ１１ａの他端に設けた係止突起１１ｃに、第２清掃具２０の嵌合凸部２１ｃの他端側の下部に設けた係止爪２１ｅを引っ掛けて係止する構成とする。
【００２９】
この結合手段３０では、第２清掃具２０の係止爪２１ｅを第１清掃具１０の係止突起１１ｃに引っ掛けて係止すると共に、第１清掃具１０の嵌合溝１１ｅに第２清掃具２０の嵌合凸部２１ｃを嵌め込んでいき、第１清掃具１０のロック爪１１ｂに第２清掃具２０の開口２１ｄに通して係止面２１ｆに引っ掛けてロックすることで、第１清掃具１０と第２清掃具２０を合体することができ、逆に合体した清掃具の第２清掃具２０の係止面２１ｆから第１清掃具１０のロック爪１１ｂによるロックを外すことで、第１清掃具１０と第２清掃具２０を分離することができる。
【００３０】
従って、ロック部３１、係止部３２及び嵌合構造により第１清掃具１０と第２清掃具２０を強固に結合することができる共に、第１清掃具１０と第２清掃具２０の合体及び分離を片手による簡単な操作で自在に行うことができ、合体清掃具１に洗浄剤をつけて使用する場合にも手を滑らせることなく確実に操作することができる。
【００３１】
合体清掃具１を第１清掃具１０と第２清掃具２０に分離した状態では、第１清掃具１０は、第１清掃部１２が大きい清掃面Ｓ１を有するので、広い平坦部分を清掃するのに適している。第２清掃具２０は、第２清掃部２２及び第３清掃部２３が小さい清掃面Ｓ２、Ｓ３を有するので、狭い場所や隅部の細部を清掃したりタイルの目地を清掃したりするのに適している。
【００３２】
第１清掃具１０と第２清掃具２０を合体した状態では、図２に示すように、合体清掃具１は、第２清掃部２２の清掃面Ｓ２が、第１清掃部１２の清掃面Ｓ１に対し角度αで後退傾斜しており、第３清掃部２３の清掃面Ｓ３が、第１清掃部１２の清掃面Ｓ１に対し角度βで後退傾斜すると共に距離ｈ１だけ高い位置にある。従って、把手部材２１を握って第１清掃部１２の大きい清掃面Ｓ１を使って、広い平坦部分を清掃することができ、その際、第２清掃部２２の清掃面Ｓ２及び第３清掃部２３の清掃面Ｓ３が清掃の支障になることがない。尚、狭い場所や隅部の細部を少しだけ清掃したい場合には、合体したままで全体を前後に少し傾けた姿勢にして第２清掃部２２の清掃面Ｓ２や第３清掃部２３の清掃面Ｓ３を使って清掃することもできる。
【００３３】
上記第１清掃部１２、第２清掃部２２及び第３清掃部２３がブラシである構成とすることができ、各清掃部の用途に適した特性の材料を選択する。例えば、ブラシの植毛の長さ、太さ、硬さ、材質、形状、密度等を用途に応じて変える。また、清掃部の材料をブラシに代えて、スポンジ、パッド、布等の他の材料としてもよい。
【００３４】
具体的には、例えば、合体清掃具１を浴室用として用いる場合に、第１清掃部１２をスポンジとし、第２清掃部２２及び第３清掃部２３をブラシとし、第３清掃部２３のブラシを第２清掃部２２より毛足が短く硬めで小さい清掃面を有するものとする。これにより、樹脂製の浴槽や壁面等の傷が付きやすい場所やタイル壁面及び床面等の広面積部を、合体又は分離した第１清掃具１０のスポンジからなる第１清掃部１２で清掃することができる。また、分離した第２清掃具２０を用いて、狭い場所を第２清掃部２２で清掃し、タイル壁面及び床面の目地や隅部の細部を第３清掃部２３で清掃することができる。尚、第２清掃部２２や第３清掃部２３における清掃面Ｓ２、Ｓ３の先端部の断面形状をＶ字状にすると、先端部をタイルの目地や隅部に合わせて清掃することができ、汚れのひどい細部を集中的に清掃するのに適している。
【００３５】
他の例として、合体清掃具１をリビング用として用いる場合に、例えば、第１清掃部１２を不織布等の化学雑巾やモップとして台座にマジックファスナーや両面テープ等で付け替え可能に構成し、第２清掃部２２及び第３清掃部２３をブラシとし、第３清掃部２３のブラシを第２清掃部２２より毛足が短く小さい清掃面を有するものとする。これにより、サイドボードの上や床面を、合体又は分離した第１清掃具１０の化学雑巾やモップからなる第１清掃部１２で清掃することができる。また、分離した第２清掃具２０を用いて、サッシの溝や家具の隙間等の狭い場所を第２清掃部２２と第３清掃部２３で適宜使い分けて清掃することができる。
【００３６】
更に、第１清掃部１２を設けた第１清掃具１０と、第２清掃部２２及び第３清掃部２３を有する第２清掃具２０において、各清掃部の特性を変えた複数の種類の第１清掃具１０及び第２清掃具２０を用意して、それらの組み合わせを変えることで、利用者の用途に適した清掃部を備えた合体清掃具１とすることができ、これにより使用できる用途の範囲を更に拡大することができる。
【００３７】
以上、本発明の合体清掃具は、上記した実施形態の具体的構成に限定されるものではなく、必要に応じ適宜構成を変形、追加又は削除した構成としてもよいことは言うまでもない。例えば、上記では、上記結合手段が、ベース部材に設けた嵌合凹部に、把手部材に設けた嵌合凸部を嵌め合う嵌合構造の例を示したが、本発明はこれに限定されるものではなく、ベース部材に設けた嵌合凸部に、把手部材に設けた嵌合凹部を嵌め合う嵌合構造としてもよい。
【００３８】
【発明の効果】
以上説明したように、本発明の合体清掃具によれば、簡素な構成で各清掃具が高剛性を有すると共に、第１清掃具の第１清掃部、第２清掃具の第２清掃部及び第３清掃部は、清掃面の大きさ及び特性のうちの少なくとも一方が異なっており、結合手段により第１清掃具と第２清掃具の合体及び分離を簡単な操作で自在に行うことができるので、使用できる用途の範囲を拡大することが可能となると共に、複数の清掃具を合体してすっきりと収納することができる。
【００３９】
上記結合手段が、ベース部材に設けた嵌合凹部に、把手部材に設けた嵌合凸部を嵌め合う嵌合構造を有すると共に、把手部材の一端側に把手部材をベース部材にロックするためのロック部と、把手部材の他端側に把手部材の一端をベース部材に係止するための係止部とを有する構成にすると、ロック部、係止部及び嵌合構造により第１清掃具と第２清掃具を強固に結合することができると共に、第１清掃具と第２清掃具の合体及び分離を片手による簡単な操作で自在に行うことができ、例えば、合体清掃具に洗浄剤をつけて使用する場合にも手を滑らせることなく確実に操作することができる。
【００４０】
上記した各合体清掃具において、第１清掃部、第２清掃部及び第３清掃部がブラシである構成にすると、ブラシからなる第１清掃具の第１清掃部、第２清掃具の第２清掃部及び第３清掃部を、用途に応じて清掃面の大きさ並びにブラシの植毛の長さ、太さ、硬さ、材質、形状、密度等の特性を変えることで、使用できる用途の範囲を拡大することができる。
【００４１】
また、上記第１清掃部、第２清掃部及び第３清掃部のうちの少なくとも１つがスポンジ、パッド又は布である構成にすると、樹脂製の浴槽や壁面、木製家具等の傷が付きやすい場所に対し、スポンジ、パッド又は布からなる清掃部を用いることができ、使用できる用途の範囲を更に拡大することができる。
【００４２】
更に、第１清掃部を設けた第１清掃具と、第２清掃部及び第３清掃部を有する第２清掃具において、各清掃部の特性を変えた複数の種類の第１清掃具及び第２清掃具を用意して、それらの組み合わせを変えることで、利用者の用途に適した清掃部を備えた合体清掃具とすることができ、これにより使用できる用途の範囲を更に拡大することができる。
【００４３】
上記した各合体清掃具において、上記第２清掃部及び第３清掃部の清掃面が、第１清掃部の清掃面に対し後退傾斜するか又は高い位置にある構成にすると、把手部材を握って第１清掃部の大きい清掃面を使って、広い平坦部分を清掃することができ、その際、第２清掃部及び第３清掃部の各清掃面が第１清掃部の清掃面に対し後退傾斜するか又は高い位置にあるので、清掃の支障になることがない。
【００４４】
上記した各合体清掃具において、上記第２清掃部及び第３清掃部の清掃面の先端部の断面形状がＶ字状である構成にすると、清掃面のＶ字状の先端部をタイルの目地や隅部に合わせて清掃することができるので、汚れのひどい細部を集中的に清掃するのに適している。
【図面の簡単な説明】
【図１】  本発明の合体清掃具の構成例を示す斜視図であって、（ａ）は第１清掃具と第２清掃具の合体した状態を、（ｂ）は分離した第２清掃具を、（ｃ）は分離した第１清掃具を表す。
【図２】  本発明の合体清掃具における第１清掃具と第２清掃具の合体した状態を示す断面図である。
【図３】  本発明の合体清掃具における第１清掃具の構成例を示す図であって、（ａ）は上視図を、（ｂ）は側面図を、（ｃ）は下視図を表す。
【図４】  本発明の合体清掃具における第２清掃具の構成例を示す図であって、（ａ）は側面図を、（ｂ）は下視図を表す。
【図５】  従来例１のブラシ体の構成を示す図である。
【図６】  従来例２の組ブラシの構成を示す図である。
【符号の説明】
１  合体清掃具
１０  第１清掃具
１１  ベース部材
１１ｅ  嵌合溝（嵌合凹部）
１２  第１清掃部
２０  第２清掃具
２１  把手部材
２１ｃ  嵌合凸部
２２  第２清掃部
２３  第３清掃部
３０  結合手段
３１  ロック部
３２  係止部
【図１】
0004357664.tif 000002
【図２】
0004357664.tif 000003
【図３】
0004357664.tif 000004
【図４】
0004357664.tif 000005
【図５】
0004357664.tif 000006
【図６】
0004357664.tif 000007